(57)【要約】      （修正有）【課題】無線通信アダプターが接続可能な印刷装置について、容易に、印刷装置が設けられた地域における所定の法に従って、無線通信に関する設定を行えるようにする。【解決手段】特定の地域を示す第１の値、又は、いずれの地域でもないことを示す第２の値のいずれかの値をとる地域情報を記憶可能な無線ＬＡＮアダプターＡＤが接続可能な印刷装置１０であって、地域情報を記憶可能な記憶部２２と、無線ＬＡＮアダプターＡＤが装着可能なＵＳＢ通信インターフェース２５と、ＵＳＢ通信インターフェース２５に装着された無線ＬＡＮアダプターＡＤを制御する通信制御部２３と、記憶部２２が記憶する地域情報と、無線ＬＡＮアダプターＡＤが記憶する地域情報との関係に基づいて、無線ＬＡＮアダプターＡＤによる無線通信に関して可能な内容を変更する制御部２０と、を備える。【選択図】図１
2017144605.tif 000002
【特許請求の範囲】
【請求項１】
特定の地域を示す第１の値、又は、いずれの地域でもないことを示す第２の値のいずれかの値をとる地域情報を記憶可能な無線通信アダプターが接続可能な印刷装置であって、
前記地域情報を記憶可能な記憶部と、
前記無線通信アダプターが装着可能な挿着部と、
前記挿着部に装着された前記無線通信アダプターを制御する通信制御部と、
前記記憶部が記憶する前記地域情報と、前記無線通信アダプターが記憶する前記地域情報との関係に基づいて、前記無線通信アダプターによる無線通信に関して設定可能な内容を変更する制御部と、
を備えることを特徴とする印刷装置。
【請求項２】
前記制御部は、
前記記憶部が記憶する前記地域情報と、前記無線通信アダプターが記憶する前記地域情報とのうち、いずれか一方の前記地域情報の値のみが前記第１の値の場合、無線通信に使用するチャンネルの設定について、前記第１の値の前記地域情報が示す特定の地域で使用可能な複数の前記チャンネルの範囲内で、１つの前記チャンネルの設定を可能とする
ことを特徴とする請求項１に記載の印刷装置。
【請求項３】
前記制御部は、
前記記憶部が記憶する前記地域情報の値と、前記無線通信アダプターが記憶する前記地域情報の値とが、共に、前記第１の値である場合、
前記チャンネルの設定について、前記無線通信アダプターが記憶する前記地域情報が示す特定の地域で使用可能な複数の前記チャンネルの範囲内で、１つの前記チャンネルの設定を可能とする
ことを特徴とする請求項１又は２に記載の印刷装置。
【請求項４】
前記制御部は、
前記記憶部が前記第２の値の前記地域情報を記憶した状態又は前記地域情報を記憶してない状態であり、かつ、前記無線通信アダプターが、前記第２の値の前記地域情報を記憶した状態又は前記地域情報を記憶してない状態の場合、
前記チャンネルの設定について、各地域で共通して使用可能な複数の前記チャンネルの範囲内で、１つの前記チャンネルの設定を可能とする
ことを特徴とする請求項１乃至３のいずれか１項に記載の印刷装置。
【請求項５】
前記制御部は、
前記無線通信アダプターが前記挿着部に装着されておらず、前記記憶部が記憶する前記地域情報が前記第１の値の場合、前記記憶部が記憶する前記地域情報が示す特定の地域で使用可能な複数の前記チャンネルの範囲内で、１つの前記チャンネルの設定を可能とし、
前記無線通信アダプターが前記挿着部に装着されておらず、前記記憶部が記憶する前記地域情報が前記第２の値であるか、前記記憶部に前記地域情報が記憶されてない場合、各地域で共通して使用可能な複数の前記チャンネルの範囲内で、１つの前記チャンネルの設定を可能とする
ことを特徴とする請求項１乃至４のいずれか１項に記載の印刷装置。
【請求項６】
情報を表示可能な表示部を備え、又は、表示装置を備える外部装置に接続され、
前記制御部は、
前記チャンネルの設定について、使用可能な複数の前記チャンネルが選択可能に表示されたユーザーインターフェースを前記表示部又は前記表示装置に表示させ、前記ユーザーインターフェースに表示された前記チャンネルのうち、いずれかの前記チャンネルが選択された場合、選択された前記チャンネルを、無線通信に使用する前記チャンネルとして設定する
ことを特徴とする請求項２乃至５のいずれか１項に記載の印刷装置。
【請求項７】
特定の地域を示す第１の値、又は、いずれの地域でもないことを示す第２の値のいずれかの値をとる地域情報を記憶可能な無線通信アダプターが接続可能であり、前記地域情報を記憶可能な印刷装置の制御方法であって、
自身が記憶する前記地域情報と、前記無線通信アダプターが記憶する前記地域情報との関係を判別し、判別した関係に基づいて、前記無線通信アダプターによる無線通信に関して設定可能な内容を変更する
ことを特徴とする印刷装置の制御方法。
【発明の詳細な説明】
【技術分野】
【０００１】
本発明は、印刷装置、及び、印刷装置の制御方法に関する。
【背景技術】
【０００２】
従来、無線通信アダプター（無線ドングル）が装着され、無線通信アダプターにより無線通信する印刷装置（プリンター）が知られる（例えば、特許文献１参照）。
【先行技術文献】
【特許文献】
【０００３】
【特許文献１】特開２０１１−１１４６２号公報
【発明の概要】
【発明が解決しようとする課題】
【０００４】
ここで、無線通信に関し、使用可能な電波帯域等の所定の無線通信に関する事象は、地域ごとに、各地域における所定の法によって定められる。従って、無線通信アダプターが接続可能な印刷装置について、無線通信アダプターによる無線通信に関する設定は、印刷装置が設けられた地域における所定の法に従って行わらなければならない。しかしながら、専門的な知識を有さない者が、印刷装置が設けられた地域における所定の法に従って、無線通信に関する設定を行うのは困難であった。
本発明は、上述した事情に鑑みてなされたものであり、無線通信アダプターが接続可能な印刷装置について、容易に、印刷装置が設けられた地域における所定の法に従って、無線通信に関する設定を行えるようにすることを目的とする。
【課題を解決するための手段】
【０００５】
上記目的を達成するために、本発明は、特定の地域を示す第１の値、又は、いずれの地域でもないことを示す第２の値のいずれかの値をとる地域情報を記憶可能な無線通信アダプターが接続可能な印刷装置であって、前記地域情報を記憶可能な記憶部と、前記無線通信アダプターが装着可能な挿着部と、前記挿着部に装着された前記無線通信アダプターを制御する通信制御部と、前記記憶部が記憶する前記地域情報と、前記無線通信アダプターが記憶する前記地域情報との関係に基づいて、前記無線通信アダプターによる無線通信に関して設定可能な内容を変更する制御部と、を備えることを特徴とする。
本発明の構成によれば、印刷装置は、無線通信アダプターを用いた無線通信に関する設定について、印刷装置が記憶する地域情報、及び、無線通信アダプターが記憶する地域情報との関係を踏まえて、設定可能な内容を変更する。このため、印刷装置は、無線通信アダプターを用いた無線通信に関する設定について、印刷装置が設けられた地域に応じて、ユーザーが地域における所定の法に従う設定を行うように、設定可能な内容を変更することができる。これにより、無線通信アダプターが接続可能な印刷装置について、容易に、印刷装置が設けられた地域における所定の法に従って、無線通信に関する設定を行える。
【０００６】
また、本発明は、前記制御部は、前記記憶部が記憶する前記地域情報と、前記無線通信アダプターが記憶する前記地域情報とのうち、いずれか一方の前記地域情報の値のみが前記第１の値の場合、無線通信に使用するチャンネルの設定について、前記第１の値の前記地域情報が示す特定の地域で使用可能な複数の前記チャンネルの範囲内で、１つの前記チャンネルの設定を可能とすることを特徴とする。
本発明の構成によれば、印刷装置が設けられた地域における所定の法に従って、無線通信に関する設定を行える。
【０００７】
また、本発明は、前記制御部は、前記記憶部が記憶する前記地域情報の値と、前記無線通信アダプターが記憶する前記地域情報の値とが、共に、前記第１の値である場合、前記チャンネルの設定について、前記無線通信アダプターが記憶する前記地域情報が示す特定の地域で使用可能な複数の前記チャンネルの範囲内で、１つの前記チャンネルの設定を可能とすることを特徴とする。
本発明の構成によれば、印刷装置が設けられた地域における所定の法に従って、無線通信に関する設定を行える。
【０００８】
また、本発明は、前記制御部は、前記記憶部が前記第２の値の前記地域情報を記憶した状態又は前記地域情報を記憶してない状態であり、かつ、前記無線通信アダプターが、前記第２の値の前記地域情報を記憶した状態又は前記地域情報を記憶してない状態の場合、前記チャンネルの設定について、各地域で共通して使用可能な複数の前記チャンネルの範囲内で、１つの前記チャンネルの設定を可能とすることを特徴とする。
本発明の構成によれば、印刷装置が設けられた地域で確実に使用可能なチャンネルを、ユーザーが選択できる状態とすることができる。
【０００９】
また、本発明は、前記制御部は、前記無線通信アダプターが前記挿着部に装着されておらず、前記記憶部が記憶する前記地域情報が前記第１の値の場合、前記記憶部が記憶する前記地域情報が示す特定の地域で使用可能な複数の前記チャンネルの範囲内で、１つの前記チャンネルの設定を可能とし、前記無線通信アダプターが前記挿着部に装着されておらず、前記記憶部が記憶する前記地域情報が前記第２の値であるか、前記記憶部に前記地域情報が記憶されてない場合、各地域で共通して使用可能な複数の前記チャンネルの範囲内で、１つの前記チャンネルの設定を可能とすることを特徴とする。
本発明の構成によれば、印刷装置に無線通信アダプターが接続されてない状態の場合、印刷装置が記憶する地域情報により印刷装置が設けられた地域が判定可能な場合は、印刷装置が設けられた地域で使用可能なチャンネルを、ユーザーが選択できる状態とすることができる。また、印刷装置が設けられた地域が不明の場合は、印刷装置が設けられた地域で確実に使用可能なチャンネルを、ユーザーが選択できる状態とすることができる。
【００１０】
また、本発明は、情報を表示可能な表示部を備え、又は、表示装置を備える外部装置に接続され、前記制御部は、前記チャンネルの設定について、使用可能な複数の前記チャンネルが選択可能に表示されたユーザーインターフェースを前記表示部又は前記表示装置に表示させ、前記ユーザーインターフェースに表示された前記チャンネルのうち、いずれかの前記チャンネルが選択された場合、選択された前記チャンネルを、無線通信に使用する前記チャンネルとして設定することを特徴とする。
本発明の構成によれば、ユーザーは、ユーザーインターフェースに表示されたチャンネルを選択するという簡易な手段により、所定の法に従った適切なチャンネルを容易に選択できる。
【００１１】
また、上記目的を達成するために、本発明は、特定の地域を示す第１の値、又は、いずれの地域でもないことを示す第２の値のいずれかの値をとる地域情報を記憶可能な無線通信アダプターが接続可能であり、前記地域情報を記憶可能な印刷装置の制御方法であって、自身が記憶する前記地域情報と、前記無線通信アダプターが記憶する前記地域情報との関係を判別し、判別した関係に基づいて、前記無線通信アダプターによる無線通信に関して設定可能な内容を変更することを特徴とする。
本発明の構成によれば、印刷装置は、無線通信アダプターを用いた無線通信に関する設定について、印刷装置が記憶する地域情報、及び、無線通信アダプターが記憶する地域情報との関係を踏まえて、設定可能な内容を変更する。このため、印刷装置は、無線通信アダプターを用いた無線通信に関する設定について、印刷装置が設けられた地域に応じて、ユーザーが地域における所定の法に従う設定を行うように、設定可能な内容を変更することができる。これにより、無線通信アダプターが接続可能な印刷装置について、容易に、印刷装置が設けられた地域における所定の法に従って、無線通信に関する設定を行える。
【図面の簡単な説明】
【００１２】
【図１】本実施形態に係る印刷システムの各装置の機能的構成を示すブロック図。
【図２】地域ごとの使用可能なチャンネルを示す図。
【図３】印刷装置の動作を示すフローチャート。
【図４】無線通信設定画面を示す図。
【図５】印刷装置の動作を示すフローチャート。
【発明を実施するための形態】
【００１３】
以下、図面を参照して本発明の実施形態について説明する。
図１は、本実施形態に係る印刷システム１の各装置の機能的構成を示すブロック図である。
図１に示すように、印刷システム１は、印刷装置１０と、印刷装置１０に対するホストコンピューターとして機能するタブレット端末１１とを備える。
印刷システム１は、タブレット端末１１の制御で、印刷装置１０が印刷を実行するシステムである。印刷システム１は、例えば、スーパーマーケットやコンビニエンスストア等の小売店や、居酒屋や喫茶店等の飲食店等の店舗のレジカウンターに設けられ、レジカウンターにおける会計に応じて、レシートを発行する。
【００１４】
印刷装置１０は、記録媒体を収容し、記録媒体に印刷する機能を有する装置である。
図１に示すように、印刷装置１０は、制御部２０と、印刷部２１と、記憶部２２と、通信制御部２３と、印刷装置タッチパネル２４（表示部）と、ＵＳＢ通信インターフェース２５（挿着部）と、を備える。
【００１５】
制御部２０は、ＣＰＵや、ＲＯＭ、ＲＡＭ、その他周辺回路等を備え、印刷装置１０を制御する。制御部２０は、ＣＰＵによるプログラムの実行や、制御回路による信号処理等、ハードウェア及びソフトウェアの機能により、印刷装置１０を制御する。
印刷部２１は、印刷装置１０に収容された記録媒体を搬送する搬送機構や、印刷ヘッドにより記録媒体に画像を印刷する印刷機構等の、記録媒体への印刷に係る機構を備える。印刷部２１は、制御部２０の制御で、各種機構を動作させて、記録媒体に画像を印刷する。
【００１６】
記憶部２２は、不揮発性メモリーを備え、各種情報を記憶する。記憶部２２は、印刷装置通信設定ファイル２２１を記憶する。印刷装置通信設定ファイル２２１については後述する。
通信制御部２３は、制御部２０の制御で、印刷装置１０が有するＵＳＢ通信インターフェース２５（後述）に装着されたＵＳＢデバイスを制御する。
印刷装置タッチパネル２４は、印刷装置１０の筐体に設けられたタッチパネルである。印刷装置タッチパネル２４は、液晶表示パネル等の表示パネルと、表示パネルに重ねて設けられたタッチセンサーとを備える。表示パネルは、制御部２０の制御で、各種画像を表示する。タッチセンサーは、タッチ操作を検出し、制御部２０に出力する。制御部２０は、タッチセンサーからの入力に基づいて、ユーザーによるタッチ操作に対応する処理を実行する。
【００１７】
ＵＳＢ通信インターフェース２５は、ＵＳＢポートや、ＵＳＢの仕様に従って通信を行うＵＳＢコントローラー等のＵＳＢによる通信に係る構成を有するインターフェースボードを備える。ＵＳＢ通信インターフェース２５は、通信制御部２３の制御で、ＵＳＢポートに接続されたＵＳＢデバイスと通信する。ＵＳＢデバイスがＵＳＢポートに接続された状態は、ＵＳＢ通信インターフェース２５にＵＳＢデバイスが装着された状態に相当する。
印刷装置１０のＵＳＢ通信インターフェース２５には、ＵＳＢデバイスとして、無線ＬＡＮアダプターＡＤ（無線通信アダプター）が装着可能である。
無線ＬＡＮアダプターＡＤは、無線ＬＡＮに対応する所定の無線通信規格（本例では、Ｗｉ−Ｆｉ（登録商標）であるものとする。）に従って無線通信する機能を有する外付けのアダプターである。
【００１８】
図１に示すように、無線ＬＡＮアダプターＡＤは、アダプター制御部３０と、アダプター記憶部３１と、アダプター通信インターフェース３２と、アダプター無線通信部３３と、を備える。
アダプター制御部３０は、ＣＰＵや、ＲＯＭ、ＲＡＭ、その他周辺回路等を備え、無線ＬＡＮアダプターＡＤを制御する。アダプター制御部３０は、ＣＰＵによるプログラムの実行や、制御回路による信号処理等、ハードウェア及びソフトウェアの機能により、無線ＬＡＮアダプターＡＤを制御する。
アダプター記憶部３１は、不揮発性メモリーを備え、各種情報を記憶する。アダプター記憶部３１は、アダプター通信設定ファイル３１１を記憶する。アダプター通信設定ファイル３１１については後述する。
アダプター通信インターフェース３２は、ＵＳＢコネクターや、ＵＳＢの仕様に従って通信を行うＵＳＢコントローラー等のＵＳＢによる通信に係る構成を有するインターフェースボードを備える。アダプター通信インターフェース３２は、アダプター制御部３０の制御で、ＵＳＢの仕様に従って通信を行う。
アダプター無線通信部３３は、アンテナや、送信データを変調し又は受信データを復調する変調／復調部、変調後の送信データを電波としてアンテナを介して送信し又はアンテナを介して受信した電波に含まれる信号を変調／復調部に出力するＲＦ部等を有する。アダプター無線通信部３３は、アダプター制御部３０の制御で、外部装置（タブレット端末１１を含む）と、無線ＬＡＮに対応する所定の無線通信規格に従って無線通信する。
【００１９】
タブレット端末１１は、前面の広い領域にタッチパネルである端末タッチパネル４２が設けられたタブレット型の（板状の）端末である。
図１に示すように、タブレット端末１１は、端末制御部４０と、端末無線通信部４１と、端末タッチパネル４２と、端末記憶部４３と、を備える。
【００２０】
端末制御部４０は、ＣＰＵや、ＲＯＭ、ＲＡＭ、その他周辺回路等を備え、タブレット端末１１を制御する。端末制御部４０は、ＣＰＵによるプログラムの実行や、制御回路による信号処理等、ハードウェア及びソフトウェアの機能により、タブレット端末１１を制御する。
端末無線通信部４１は、端末制御部４０の制御で、所定の無線通信の規格に従って、外部装置（無線ＬＡＮアダプターＡＤを含む。）と無線通信する。
端末タッチパネル４２は、液晶表示パネル等の表示パネルと、表示パネルに重ねて設けられたタッチセンサーとを備える。表示パネルは、端末制御部４０の制御で、各種画像を表示する。タッチセンサーは、タッチ操作を検出し、端末制御部４０に出力する。端末制御部４０は、タッチセンサーからの入力に基づいて、ユーザーによるタッチ操作に対応する処理を実行する。
端末記憶部４３は、メモリーを備え、各種情報を記憶する。
【００２１】
ところで、上述したように、印刷装置１０には、無線ＬＡＮアダプターＡＤが装着（接続）可能である。
ここで、印刷装置１０に接続された無線ＬＡＮアダプターＡＤによる無線通信に関し、使用可能なチャンネルは、印刷装置１０が設けられた地域における所定の法に応じて、地域ごとに異なる。チャンネルとは、対応する無線通信規格の電波帯域を、所定の周波数を中心とする所定の周波数帯からなるチャンネル幅に応じて区分けしたものである。なお、以下の説明では、チャンネルを、ｃｈ１、ｃｈ２、のように、「ｃｈ」と、数字の組み合わせによって表す。
本実施形態では、無線ＬＡＮアダプターＡＤが対応可能な無線通信規格として、ＩＥＥＥ８０２．１１ｂ、ＩＥＥＥ８０２．１１ｇ、及び、ＩＥＥＥ８０２．１１ａが存在するものとする。以下、ＩＥＥＥ８０２．１１ｂ、及び、ＩＥＥＥ８０２．１１ｇをまとめて、「ＩＥＥＥ８０２．１１ｂ／ｇ」と表現する。ＩＥＥＥ８０２．１１ｂ／ｇは、「２．４ＧＨｚ」帯を使用可能な通信規格であり、ＩＥＥＥ８０２．１１ａは、「５ＧＨｚ」帯を使用可能な通信規格である。
また、無線ＬＡＮアダプターＡＤが対応する無線通信規格は、以下の２つのパターンがあるものとする。１のパターンは、無線ＬＡＮアダプターＡＤは、ＩＥＥＥ８０２．１ｂ／ｇに対応する。他のパターンは、無線ＬＡＮアダプターＡＤは、ＩＥＥＥ８０２．１１ｂ／ｇ、及び、ＩＥＥＥ８０２．１１ａの２つの規格に対応する。
【００２２】
ここで、ＩＥＥＥ８０２．１１ｂ／ｇ、及び、ＩＥＥＥ８０２．１１ａのそれぞれについて、アドホック・モードで通信するときに使用可能なチャンネルは、印刷装置１０が設けられる地域に応じて異なる。
本実施形態では、地域として、３つの第１地域Ｔ１、第２地域Ｔ２、及び、第３地域Ｔ３が存在するものとする。
【００２３】
図２は、第１地域Ｔ１、第２地域Ｔ２、及び、第３地域Ｔ３のそれぞれについて、対応する通信規格がＩＥＥＥ８０２．１１ｂ／ｇである場合、及び、ＩＥＥＥ８０２．１１ａである場合のアドホック・モードで通信するときに使用可能なチャンネルを表す図である。
図２に示すように、本実施形態では、２．４ＧＨｚ帯のＩＥＥＥ８０２．１１ｂ／ｇについて、第１地域Ｔ１において使用可能なチャンネルはｃｈ１〜ｃｈ１１であり、第２地域Ｔ２において使用可能なチャンネルはｃｈ１〜ｃｈ１２であり、第３地域Ｔ３において使用可能なチャンネルはｃｈ１〜ｃｈ１３である。
また、本実施形態では、ＩＥＥＥ８０２．１１ｂ／ｇについて、ｃｈ１〜ｃｈ１１は、地域にかかわらず、各地域が共通して使用可能なチャンネルである。
【００２４】
また、図２に示すように、本実施形態では、５ＧＨｚ帯のＩＥＥＥ８０２．１１ａに関し、第１地域Ｔ１において使用可能なチャンネルはｃｈ３６、ｃｈ４０であり、第２地域Ｔ２において使用可能なチャンネルはｃｈ３６、ｃｈ４０、ｃｈ４４であり、第３地域Ｔ３において使用可能なチャンネルはｃｈ３６、ｃｈ４０、ｃｈ４４、ｃｈ４８である。
また、図２に示すように、本実施形態では、ＩＥＥＥ８０２．１１ａに関し、ｃｈ３６、ｃｈ４０は、地域にかかわらず、各地域が共通して使用可能なチャンネルである。
【００２５】
なお、上述した特定の地域で使用可能なチャンネルや、各地域で共通して使用可能なチャンネルは、説明の便宜を考慮した一例である。
【００２６】
印刷装置１０に接続された無線ＬＡＮアダプターＡＤにより無線通信を行う場合、使用するチャンネルを設定する必要がある。チャンネルは、電波干渉の防止等を考慮して、適切に設定される。そして、上述したように、チャンネルは、印刷装置１０が設けられた地域における所定の法に従ったものを設定する必要がある。しかしながら、専門的な知識を有さない者が、所定の法に従って、適切なチャンネルを選択し、設定するのは困難であった。
以上を踏まえ、印刷装置１０は、以下の処理を実行する。
【００２７】
図３は、チャンネルの設定を含む無線ＬＡＮアダプターＡＤによる無線通信に関する設定に係る印刷装置１０の動作を示すフローチャートである。
図３に示すように、チャンネルの設定を含む無線ＬＡＮアダプターＡＤによる無線通信に関する設定を行う場合、ユーザーは、印刷装置タッチパネル２４に対して所定の操作を行って、無線通信設定画面Ｇ４１（後述）の表示を指示する（ステップＳ１）。
【００２８】
図３に示すように、印刷装置タッチパネル２４からの入力に基づいて無線通信設定画面Ｇ４１の表示の指示があったことを検出すると、制御部２０は、ＵＳＢ通信インターフェース２５に、無線ＬＡＮアダプターＡＤが装着された状態か否かを判別する（ステップＳＡ１）。
ステップＳＡ１において、制御部２０は、例えば、ＵＳＢデバイスの１つである無線ＬＡＮアダプターＡＤが接続された状態である場合に、ＵＳＢの仕様に従って無線ＬＡＮアダプターＡＤから受信するベンダーＩＤ、及び、プロダクトＩＤを利用して、無線ＬＡＮアダプターＡＤが装着された状態か否かを判別する。無線ＬＡＮアダプターＡＤが装着された状態か否かを判別する方法は、どのような方法でもよい。
【００２９】
無線ＬＡＮアダプターＡＤが装着された状態ではない場合（ステップＳＡ１：ＮＯ）、制御部２０は、処理手順をステップＳＡ７へ移行する。
【００３０】
無線ＬＡＮアダプターＡＤが装着された状態の場合（ステップＳＡ１：ＹＥＳ）、制御部２０は、装着された無線ＬＡＮアダプターＡＤが対応する無線通信規格を取得する（ステップＳＡ２）。上述したように、本実施形態では、無線ＬＡＮアダプターＡＤが対応する無線通信規格は、「ＩＥＥＥ８０２．１１ｂ／ｇの場合」と、「ＩＥＥＥ８０２．１１ｂ／ｇ、及び、ＩＥＥＥ８０２．１１ａの場合」との２つの場合がある。
例えば、ステップＳＡ２において、制御部２０は、無線ＬＡＮアダプターＡＤが接続されたときに無線ＬＡＮアダプターＡＤから受信するベンダーＩＤ及びプロダクトＩＤに基づいて、無線ＬＡＮアダプターＡＤが対応する無線通信規格を取得する。
また例えば、ステップＳＡ２において、制御部２０は、無線ＬＡＮアダプターＡＤのアダプター制御部３０と通信して、アダプター制御部３０に無線通信規格を問い合わせ、問い合せに対する応答に基づいて無線通信規格を取得する。
【００３１】
次いで、制御部２０は、記憶部２２が記憶する印刷装置通信設定ファイル２２１を参照し、印刷装置通信設定ファイル２２１に地域情報が記録された状態か否かを判別する（ステップＳＡ３）。なお、印刷装置通信設定ファイル２２１に地域情報が記録された状態は、印刷装置１０に地域情報が記憶された状態に相当する。
印刷装置通信設定ファイル２２１とは、印刷装置１０が行う通信（無線ＬＡＮアダプターＡＤを用いた無線通信を含む。）に関する複数の設定項目と、設定値とが対応付けて記録されたファイルである。本実施形態では、印刷装置通信設定ファイル２２１には、設定項目として、少なくとも、地域情報項目と、対応無線通信規格項目と、通信モード項目と、ＳＳＩＤ項目と、チャンネル項目とが記録可能である。
【００３２】
地域情報項目は、設定値として地域情報が対応付けられる項目である。
地域情報とは、製品（本例の場合、印刷装置１０、及び、無線ＬＡＮアダプターＡＤを含む。）の仕向先の地域を示す識別情報である。仕向先の地域とは、製品が販売され、使用されることが想定された地域のことである。例えば、地域情報は、仕向先の地域が日本の場合は日本を示す識別情報であり、仕向先の地域が北米の場合は北米を示す識別情報である。
地域情報は、特定の仕向先の地域を示す値（＝特定の仕向先の地域を示す識別情報）、又は、いずれの地域でもないことを示す値のいずれかの値をとる。
以下、特定の仕向先の地域を示す値を「特定地域値」という。特定地域値は、「第１の値」に相当する。また、いずれの地域でもないことを示す値を「無地域値」という。無地域値は、「第２の値」に相当する。
印刷装置通信設定ファイル２２１には、地域情報項目、及び、地域情報の組み合わせが記録されない場合がある。つまり、印刷装置通信設定ファイル２２１には、地域情報が記録されない場合がある。
【００３３】
対応無線通信規格項目とは、設定値として、印刷装置１０に装着された無線ＬＡＮアダプターＡＤを用いた無線通信で使用する無線通信規格を示す情報が対応付けられる項目である。無線通信規格を示す情報のデフォルト値は、ヌル値である。
通信モード項目とは、設定値として通信モード情報が対応付けられる項目である。通信モード情報は、無線ＬＡＮアダプターＡＤによる通信をアドホック・モードで行うことを示す値、又は、無線ＬＡＮアダプターＡＤによる通信をインフラストラクチャー・モードで行うことを示す値のいずれかの値をとる情報である。通信モード情報のデフォルト値はヌル値である。
ＳＳＩＤ項目とは、設定値として、無線ＬＡＮアダプターＡＤによる無線通信に際し、アクセスポイントとして機能する装置との間での無線通信に利用するＳＳＩＤを示す情報が対応付けられる項目である。ＳＳＩＤを示す情報のデフォルト値は、ヌル値である。
チャンネル項目とは、設定値として、無線ＬＡＮアダプターＡＤによる無線通信で使用するチャンネルを示す情報が対応付けられる項目である。チャンネルを示す情報のデフォルト値はヌル値である。
【００３４】
なお、図３のフローチャートで示す印刷装置１０の処理は、後述する無線通信設定画面Ｇ４１に対するユーザーの入力に応じて、印刷装置通信設定ファイル２２１の通信モード項目、ＳＳＩＤ項目、及び、チャンネル項目のそれぞれに設定値を対応付けて記録することを目的の１つとする。
【００３５】
ステップＳＡ３において、印刷装置通信設定ファイル２２１に地域情報が記憶された状態ではないと判別した場合（ステップＳＡ３：ＮＯ）、制御部２０は、処理手順をステップＳＡ５へ移行する。
【００３６】
ステップＳＡ３において、印刷装置通信設定ファイル２２１に地域情報が記録された状態であると判別した場合（ステップＳＡ３：ＹＥＳ）、制御部２０は、印刷装置通信設定ファイル２２１に記録された地域情報を取得する（ステップＳＡ４）。
【００３７】
ステップＳＡ５において、制御部２０は、無線ＬＡＮアダプターＡＤに地域情報が記憶された状態か否かを判別する。
ここで、無線ＬＡＮアダプターＡＤのアダプター記憶部３１は、アダプター通信設定ファイル３１１を記憶する。アダプター通信設定ファイル３１１には、地域情報項目と地域情報との組み合わせが記録可能である。アダプター通信設定ファイル３１１に記録される地域情報は、無線ＬＡＮアダプターＡＤの仕向先の地域に対応する特定地域値、又は、無地域値のいずれかの値をとる。
ステップＳＡ５において、制御部２０は、通信制御部２３を制御して、無線ＬＡＮアダプターＡＤのアダプター制御部３０と通信し、アダプター通信設定ファイル３１１に地域情報が記録された状態か否かを問い合わせ、問い合せに対する応答に基づいて、無線ＬＡＮアダプターＡＤに地域情報が記録された状態か否かを判別する。
【００３８】
無線ＬＡＮアダプターＡＤに地域情報が記憶された状態ではない場合（ステップＳＡ５：ＮＯ）、制御部２０は、処理手順をステップＳＡ７へ移行する。
【００３９】
無線ＬＡＮアダプターＡＤに地域情報が記憶された状態の場合（ステップＳＡ５：ＹＥＳ）、制御部２０は、アダプター制御部３０と通信して、無線ＬＡＮアダプターＡＤに記憶された地域情報を取得する（ステップＳＡ６）。
【００４０】
ステップＳＡ７において、制御部２０は、印刷装置タッチパネル２４に、無線通信設定画面Ｇ４１（ユーザーインターフェース）を表示する。
【００４１】
図４は、ユーザーインターフェースとして提供される無線通信設定画面Ｇ４１の一例を示す図である。
無線通信設定画面Ｇ４１は、無線ＬＡＮアダプターＡＤによる無線通信に関する設定を行う画面である。
図４に示すように、無線通信設定画面Ｇ４１は、各種設定を行う対象とする無線通信規格を設定する領域Ａ４１を有する。領域Ａ４１は、無線通信規格を示す情報が入力される無線通信規格入力欄Ｎ４１を有する。ユーザーは、無線通信規格入力欄Ｎ４１に、無線通信に関する設定を行う対象とする無線通信規格を示す情報を入力する。
無線通信規格入力欄Ｎ４１は、プルダウンメニューである。無線通信規格入力欄Ｎ４１に係るプルダウンメニューには、選択項目として、無線通信規格を示す情報が表示される。ユーザーは、プルダウンメニューに表示された情報から、１つの情報を選択することにより、無線通信規格入力欄Ｎ４１に、無線通信に関する設定を行う無線通信規格を示す情報を入力できる。
制御部２０は、無線通信規格入力欄Ｎ４１に係るプルダウンメニューに、以下の態様で、無線通信規格を示す情報を表示する。
【００４２】
すなわち、印刷装置１０に無線ＬＡＮアダプターＡＤが接続された状態の場合、制御部２０は、接続された無線ＬＡＮアダプターＡＤが対応する無線通信規格を示す情報を選択項目として無線通信規格入力欄Ｎ４１に係るプルダウンメニューに表示する。例えば、ＩＥＥＥ８０２．１１ｂ／ｇに対応する無線ＬＡＮアダプターＡＤが接続された状態の場合、制御部２０は、無線通信規格入力欄Ｎ４１に係るプルダウンメニューに、ＩＥＥＥ８０２．１１ｂ／ｇを示す情報を表示する。この場合、ユーザーは、無線通信規格入力欄Ｎ４１に、ＩＥＥＥ８０２．１１ｂ／ｇを示す情報のみを入力可能である。また例えば、ＩＥＥＥ８０２．１１ｂ／ｇ及びＩＥＥＥ８０２．１１ａに対応する無線ＬＡＮアダプターＡＤが印刷装置１０に接続された状態の場合、制御部２０は、無線通信規格入力欄Ｎ４１に係るプルダウンメニューに、ＩＥＥＥ８０２．１１ｂ／ｇを示す情報、及び、ＩＥＥＥ８０２．１１ａを示す情報を、いずれかの情報を選択可能な状態で表示する。この場合、ユーザーは、無線通信規格入力欄Ｎ４１に、ＩＥＥＥ８０２．１１ｂ／ｇを示す情報、又は、ＩＥＥＥ８０２．１１ａを示す情報のいずれかの情報を入力可能である。
このように、制御部２０は、印刷装置１０に無線ＬＡＮアダプターＡＤが接続された状態の場合、接続された無線ＬＡＮアダプターＡＤが対応する無線通信規格を示す情報を選択項目として無線通信規格入力欄Ｎ４１に係るプルダウンメニューに表示する。これにより、ユーザーは、印刷装置１０に実際に接続された状態の無線ＬＡＮアダプターＡＤが対応する無線通信規格についてのみ、無線通信設定画面Ｇ４１により無線通信に関する設定を行うことができる状態となる。このため、印刷装置１０に接続された無線ＬＡＮアダプターＡＤが対応してない無線通信規格について、ユーザーが通信に関する各種設定を行うことを防止できる。
【００４３】
一方、印刷装置１０に無線ＬＡＮアダプターＡＤが接続された状態ではない場合、制御部２０は、無線通信規格入力欄Ｎ４１に係るプルダウンメニューに、ＩＥＥＥ８０２．１１ｂ／ｇを示す情報、及び、ＩＥＥＥ８０２．１１ａを示す情報のそれぞれを表示する。従って、印刷装置１０に無線ＬＡＮアダプターＡＤが接続された状態ではない場合、ユーザーは、無線通信に関する各種設定を行う対象の無線通信規格として、ＩＥＥＥ８０２．１１ｂ／ｇ、及び、ＩＥＥＥ８０２．１１ａのいずれも設定可能である。
これは、以下の理由である。すなわち、無線ＬＡＮアダプターＡＤが接続されてない状態で無線通信設定画面Ｇ４１の表示が指示された場合、ユーザーは、将来、印刷装置１０に接続する予定の無線ＬＡＮアダプターＡＤについて、無線通信に関する設定を行おうとするものと想定される。このため、全ての無線通信規格を設定可能な状態とすることにより、ユーザーが、将来、印刷装置１０に接続する予定の無線ＬＡＮアダプターＡＤに対応する無線通信規格について、ユーザーは、無線通信に関する設定をできる。
【００４４】
図４に示すように、無線通信設定画面Ｇ４１は、無線ＬＡＮアダプターＡＤを用いた無線通信を、アドホック・モードで行うのか、インフラストラクチャー・モードで行うのかを設定する領域Ａ４２を有する。領域Ａ４２は、アドホック・モードを示す情報、又は、インフラストラクチャー・モードを示す情報のいずれかの情報が入力されるモード入力欄Ｎ４２を有する。
モード入力欄Ｎ４２は、プリダウンメニューである。モード入力欄Ｎ４２に係るプルダウンメニューには、選択項目として、アドホック・モードを示す情報、又は、インフラストラクチャー・モードを示す情報が表示される。ユーザーは、プルダウンメニューの表示された情報のいずれかを選択することにより、モード入力欄Ｎ４２に情報を入力する。
【００４５】
図４に示すように、無線通信設定画面Ｇ４１は、ＳＳＩＤを設定する領域Ａ４３を有する。領域Ａ４３は、ＳＳＩＤを入力するＳＳＩＤ入力欄Ｎ４３を有する。
ユーザーは、ＳＳＩＤ入力欄Ｎ４３に、無線ＬＡＮアダプターＡＤによる無線通信に際し、アクセスポイントとして機能する装置との間での無線通信に利用するＳＳＩＤを入力する。
【００４６】
図４に示すように、無線通信設定画面Ｇ４１は、チャンネルを設定する領域Ａ４４を有する。領域Ａ４４は、チャンネルを示す情報が入力されるチャンネル入力欄Ｎ４４を有する。ユーザーは、モード入力欄Ｎ４２に、アドホック・モードを示す情報を入力した場合、チャンネル入力欄Ｎ４４に、無線ＬＡＮアダプターＡＤによる無線通信で使用するチャンネルを示す情報を入力する。なお、制御部２０は、モード入力欄Ｎ４２にインフラストラクチャー・モードを示す情報が入力された場合、チャンネル入力欄Ｎ４４に情報が入力できない状態とする。
チャンネル入力欄Ｎ４４は、プルダウンメニューである。チャンネル入力欄Ｎ４４に係るプルダウンメニューには、選択項目として、複数のチャンネルを示す情報が表示される。ユーザーは、プルダウンメニューに表示された情報から、１つの情報を選択することにより、チャンネル入力欄Ｎ４４に、無線ＬＡＮアダプターＡＤを用いた無線通信に使用するチャンネルを示す情報を入力できる。
制御部２０は、チャンネル入力欄Ｎ４４に係るプルダウンメニューに選択項目として情報を表示するチャンネルを以下の方法で決定する。
【００４７】
図５は、チャンネル入力欄Ｎ４４に係るプルダウンメニューに情報を表示するチャンネルを決定するときの印刷装置１０の動作を示すフローチャートである。
以下の説明において、ユーザーが領域Ａ４１の無線通信規格入力欄Ｎ４１に入力した無線通信規格を示す情報を、「登録無線通信規格情報」といい、登録無線通信規格情報が示す無線通信規格を「登録無線通信規格」という。
【００４８】
図５に示すように、制御部２０は、無線ＬＡＮアダプターＡＤが接続された状態であるか否かを判別する（ステップＳＢ１）。
無線ＬＡＮアダプターＡＤが接続された状態ではない場合（ステップＳＢ１：ＮＯ）、制御部２０は、印刷装置１０の記憶部２２が記憶する印刷装置通信設定ファイル２２１に、地域情報項目と対応付けて、特定地域値の地域情報が記憶された状態か否かを判別する（ステップＳＢ２）。
特定地域値の地域情報が記憶された状態の場合（ステップＳＢ２：ＹＥＳ）、制御部２０は、登録無線通信規格について、地域情報が示す地域（識別情報である特定地域値が示す特定の仕向先の地域）で使用可能なチャンネルを、チャンネル入力欄Ｎ４４に係るプルダウンメニューに選択項目として情報を表示するチャンネルとして決定する（ステップＳＢ３）。
【００４９】
例えば、登録無線通信規格がＩＥＥＥ８０２．１１ｂ／ｇであり、印刷装置１０が記憶する地域情報が第１地域Ｔ１を示す場合、制御部２０は、ｃｈ１〜ｃｈ１１を、チャンネル入力欄Ｎ４４に係るプルダウンメニューに選択項目として情報を表示するチャンネルとして決定する。
また例えば、登録無線通信規格がＩＥＥＥ８０２．１１ｂ／ｇであり、印刷装置１０が記憶する地域情報が第２地域Ｔ２を示す場合、制御部２０は、ｃｈ１〜ｃｈ１２を、チャンネル入力欄Ｎ４４に係るプルダウンメニューに選択項目として情報を表示するチャンネルとして決定する。
また例えば、登録無線通信規格がＩＥＥＥ８０２．１１ｂ／ｇであり、印刷装置１０が記憶する地域情報が第３地域Ｔ３を示す場合、制御部２０は、ｃｈ１〜ｃｈ１３を、チャンネル入力欄Ｎ４４に係るプルダウンメニューに選択項目として情報を表示するチャンネルとして決定する。
また例えば、登録無線通信規格がＩＥＥＥ８０２．１１ａであり、印刷装置１０が記憶する地域情報が第１地域Ｔ１を示す場合、制御部２０は、ｃｈ３６、ｃｈ４０を、チャンネル入力欄Ｎ４４に係るプルダウンメニューに選択項目として情報を表示するチャンネルとして決定する。
また例えば、登録無線通信規格がＩＥＥＥ８０２．１１ａであり、印刷装置１０が記憶する地域情報が第２地域Ｔ２を示す場合、制御部２０は、ｃｈ３６、ｃｈ４０、ｃｈ４４を、チャンネル入力欄Ｎ４４に係るプルダウンメニューに選択項目として情報を表示するチャンネルとして決定する。
また例えば、登録無線通信規格がＩＥＥＥ８０２．１１ａであり、印刷装置１０が記憶する地域情報が第３地域Ｔ３を示す場合、制御部２０は、ｃｈ３６、ｃｈ４０、ｃｈ４４、ｃｈ４８を、チャンネル入力欄Ｎ４４に係るプルダウンメニューに選択項目として情報を表示するチャンネルとして決定する。
【００５０】
ステップＳＢ３の処理が行われる理由は以下である。すなわち、ステップＳＢ３の処理が行われる場合は、無線通信アダプターＡＤは印刷装置１０に接続されておらず、無線通信アダプターＡＤから地域情報を取得することはできない。そして、印刷装置１０に地域情報が記憶された状態の場合、印刷装置１０の仕向先は地域情報が示す地域であり、印刷装置１０は基本的に地域情報が示す地域に設けられた状態であると想定される。これを踏まえ、ステップＳＢ３の処理が行われることにより、印刷装置１０が設けられた地域で使用可能なチャンネルを、ユーザーが選択できる状態とすることができる。
【００５１】
一方、印刷装置１０に、特定地域値の地域情報が記憶された状態ではない場合（ステップＳＢ２：ＮＯ）、換言すれば、印刷装置１０に無地域値の地域情報が記憶された状態、又は、印刷装置１０に地域情報が記憶されてない状態の場合、制御部２０は、以下の処理を実行する（ステップＳＢ４）。すなわち、制御部２０は、登録無線通信規格について、各地域が共通して使用可能なチャンネルを、チャンネル入力欄Ｎ４４に係るプルダウンメニューに選択項目として情報を表示するチャンネルとして決定する。
本実施形態の例において、登録無線通信規格がＩＥＥＥ８０２．１１ｂ／ｇの場合、制御部２０は、ｃｈ１〜ｃｈ１１を、チャンネル入力欄Ｎ４４に係るプルダウンメニューに選択項目として情報を表示するチャンネルとして決定する。また、登録無線通信規格がＩＥＥＥ８０２．１１ａの場合、制御部２０は、ｃｈ３６、ｃｈ４０を、チャンネル入力欄Ｎ４４に係るプルダウンメニューに選択項目として情報を表示するチャンネルとして決定する。
【００５２】
ステップＳＢ４の処理が行われる理由は以下である。すなわち、ステップＳＢ４の処理が行われる場合は、無線通信アダプターＡＤは印刷装置１０に接続されておらず、無線通信アダプターＡＤから地域情報を取得することはできない。また、印刷装置１０の仕向先も不明である。これを踏まえ、ステップＳＢ４の処理が行われることにより、印刷装置１０が設けられた地域で確実に使用可能なチャンネルを、ユーザーが選択できる状態とすることができる。
【００５３】
ステップＳＢ１において、無線ＬＡＮアダプターＡＤが接続された状態であると判別した場合（ステップＳＢ１：ＹＥＳ）、制御部２０は、印刷装置１０と無線ＬＡＮアダプターＡＤとのうち、いずれか一方の装置のみに、特定地域値の地域情報が記憶された状態であるか否かを判別する（ステップＳＢ５）。
印刷装置１０と無線ＬＡＮアダプターＡＤとのうち、いずれか一方の装置のみに、特定地域値の地域情報が記憶された状態である場合（ステップＳＢ５：ＹＥＳ）、制御部２０は、登録無線通信規格について、いずれか一方の装置に記憶された特定地域値の地域情報が示す地域で使用可能なチャンネルを、チャンネル入力欄Ｎ４４に係るプルダウンメニューに選択項目として情報を表示するチャンネルとして決定する（ステップＳＢ６）。
ステップＳＢ６の処理が行われる理由は以下である。すなわち、印刷装置１０と無線ＬＡＮアダプターＡＤとのうち、いずれか一方の装置のみに、特定地域値の地域情報が記憶された状態である場合、少なくとも、その装置の仕向地は、特定地域値の地域情報が示す地域である。このため、印刷装置１０は、特定地域値の地域情報が示す地域に設けられた状態である可能性が高い。これを踏まえ、ステップＳＢ６の処理が行われることにより、印刷装置１０が設けられた地域で使用可能なチャンネルを、ユーザーが選択できる状態とすることができる。
【００５４】
ステップＳＢ５において、印刷装置１０と無線ＬＡＮアダプターＡＤとのうち、いずれか一方の装置のみに特定地域値の地域情報が記憶された状態ではないと判別した場合（ステップＳＢ５：ＮＯ）、制御部２０は、印刷装置１０及び無線ＬＡＮアダプターＡＤの双方の装置に特定地域値の地域情報が記憶された状態か否かを判別する（ステップＳＢ７）。
印刷装置１０及び無線ＬＡＮアダプターＡＤの双方の装置に特定地域値の地域情報が記憶された状態の場合（ステップＳＢ７：ＹＥＳ）、制御部２０は、登録無線通信規格について、無線ＬＡＮアダプターＡＤが記憶する地域情報が示す地域で使用可能なチャンネルを、チャンネル入力欄Ｎ４４に係るプルダウンメニューに選択項目として情報を表示するチャンネルとして決定する（ステップＳＢ８）。
ステップＳＢ８の処理が行われる理由は以下である。すなわち、印刷装置１０は、仕向先の地域に設けられた後、地域を超えた店舗の移店や、各店舗の運営コストの削減のための備品の移動等に起因して、仕向先の地域とは異なる地域に設けられる場合がまれにある。一方で、無線ＬＡＮアダプターＡＤは、当該アダプターが用いられる１の地域（＝当該アダプターの仕向先の地域）で購入された後、当該１の地域で継続して使用されるケースが多い。従って、無線ＬＡＮアダプターＡＤは、印刷装置１０と比較して、仕向先の地域で継続して使用される可能性が高い。このため、無線ＬＡＮアダプターＡＤが記憶する地域情報が示す地域の方が、印刷装置１０が記憶する地域情報が示す地域よりも、現時点で、印刷装置１０が設けられた地域である可能性が高いと言える。これを踏まえ、ステップＳＢ８の処理が行われることにより、印刷装置１０が設けられた可能性の高い地域で使用可能なチャンネルを、ユーザーが選択できる状態とすることができる。
【００５５】
ステップＳＢ７において、印刷装置１０及び無線ＬＡＮアダプターＡＤの双方の装置に特定地域値の地域情報が記憶された状態ではないと判別した場合（ステップＳＢ７：ＮＯ）、制御部２０は、以下の処理を実行する（ステップＳＢ９）。
なお、ステップＳＢ７において、印刷装置１０及び無線ＬＡＮアダプターＡＤの双方の装置に特定地域値の地域情報が記憶された状態ではないと判別した場合、印刷装置１０、及び、無線ＬＡＮアダプターＡＤは、以下の状態である。すなわち、印刷装置１０は、無地域値の地域情報を記憶した状態、又は、地域情報を記憶してない状態である。さらに、無線ＬＡＮアダプターＡＤは、無地域値の地域情報を記憶した状態、又は、地域情報を記憶してない状態である。
【００５６】
ステップＳＢ９において、制御部２０は、登録無線通信規格について、各地域が共通して使用可能なチャンネルを、チャンネル入力欄Ｎ４４に係るプルダウンメニューに選択項目として情報を表示するチャンネルとして決定する。
ステップＳＢ９の処理が行われる理由は以下である。すなわち、ステップＳＢ９の処理が行われる場合は、印刷装置１０からも、無線通信アダプターＡＤから地域情報を取得することはできない。従って、印刷装置１０、及び、無線ＬＡＮアダプターＡＤの双方について、仕向先の地域が不明である。これを踏まえ、ステップＳＢ９の処理が行われることにより、印刷装置１０が設けられた地域で確実に使用可能なチャンネルを、ユーザーが選択できる状態とすることができる。
【００５７】
図４に示すように、無線通信設定画面Ｇ４１は、当該画面に対する入力を確定する確定ボタンＢ４１及び当該画面に対する入力を取り消すキャンセルボタンＢ４２を有する。ユーザーは、無線通信設定画面Ｇ４１の各入力欄への入力を確定する場合、確定ボタンＢ４１を操作する。
【００５８】
図３に示すように、ステップＳＡ７で無線通信設定画面Ｇ４１を表示した後、制御部２０は、キャンセルボタンＢ４２が操作されたか否かを監視する（ステップＳＡ８）。
キャンセルボタンＢ４２が操作されたことを検出した場合（ステップＳＡ８：ＹＥＳ）、制御部２０は、後述する設定項目への設定値の設定を行うことなく、無線通信設定の入力を取り消して、無線通信設定処理を終了する。
また、図３に示すように、制御部２０は、キャンセルボタンＢ４２が操作されたか否かを監視しつつ、確定ボタンＢ４１が操作されたか否かを監視する（ステップＳＡ９）。
確定ボタンＢ４１が操作されたことを検出した場合（ステップＳＡ９：ＹＥＳ）、制御部２０は、無線通信設定画面Ｇ４１の各入力欄に入力された情報を取得する（ステップＳＡ１０）。
次いで、制御部２０は、ステップＳＡ１０で取得した情報に基づいて、印刷装置通信設定ファイル２２１に記録された対応無線通信規格項目、通信モード項目、ＳＳＩＤ項目、及び、チャンネル項目について設定値を設定する（ステップＳＡ１１）。すなわち、制御部２０は、無線通信規格入力欄Ｎ４１に入力された無線通信規格を示す情報に基づいて、対応無線通信規格項目に設定値を設定する。また、制御部２０は、モード入力欄Ｎ４２に入力された情報に基づいて、通信モード項目に設定値を設定する。また、制御部２０は、ＳＳＩＤ入力欄Ｎ４３に入力されたＳＳＩＤに基づいて、ＳＳＩＤ項目に設定値を設定する。また、制御部２０は、チャンネル入力欄Ｎ４４に入力されたチャンネルを示す情報に基づいて、チャンネル項目に設定値を設定して、無線通信に関する設定に係る処理を終了する。
【００５９】
以上説明したように、本実施形態に係る印刷装置１０は、特定の地域を示す特定地域値（第１の値）、又は、いずれの地域でもないことを示す無地域値（第２の値）のいずれかの値をとる地域情報を記憶可能な無線ＬＡＮアダプターＡＤ（無線通信アダプター）が接続可能である。印刷装置１０は、地域情報を記憶可能な記憶部２２と、無線ＬＡＮアダプターＡＤが装着可能なＵＳＢ通信インターフェース２５（挿着部）と、ＵＳＢ通信インターフェース２５に装着された無線ＬＡＮアダプターＡＤを制御する通信制御部２３と、記憶部２２が記憶する地域情報と、無線ＬＡＮアダプターＡＤが記憶する地域情報との関係に基づいて、無線ＬＡＮアダプターＡＤによる無線通信に関する設定について、設定可能な内容を変更する制御部２０と、を備える。
この構成によれば、印刷装置１０は、無線通信に関する設定について、印刷装置１０が記憶する地域情報、及び、無線ＬＡＮアダプターＡＤが記憶する地域情報との関係を踏まえて、設定可能な内容を変更する。このため、印刷装置１０は、無線通信に関する設定について、印刷装置１０が設けられた地域（印刷装置１０が設けられた可能性の高い地域を含む。）に応じて、ユーザーが地域における所定の法に従う設定を行うように、設定可能な内容を変更することができる。これにより、無線ＬＡＮアダプターＡＤが接続可能な印刷装置１０について、容易に、印刷装置１０が設けられた地域における所定の法に従って、無線通信に関する設定を行える。
【００６０】
また、本実施形態では、制御部２０は、記憶部２２が記憶する地域情報と、無線ＬＡＮアダプターＡＤが記憶する地域情報とのうち、いずれか一方の地域情報の値のみが特定地域値の場合、無線通信に使用するチャンネルの設定について、特定地域値の地域情報が示す地域で使用可能な複数のチャンネルの範囲内で、１つのチャンネルの設定を可能とする。
この構成によれば、印刷装置１０が設けられた地域で使用可能なチャンネルを、ユーザーが選択できる状態とすることができる。
【００６１】
また、本実施形態では、制御部２０は、記憶部２２が記憶する地域情報の値と、無線ＬＡＮアダプターＡＤが記憶する地域情報の値とが、共に、特定地域値である場合、チャンネルの設定について、無線ＬＡＮアダプターＡＤが記憶する地域情報が示す特定の地域で使用可能な複数のチャンネルの範囲内で、１つのチャンネルの設定を可能とする。
この構成によれば、印刷装置１０が設けられた地域で使用可能なチャンネルを、ユーザーが選択できる状態とすることができる。
【００６２】
また、本実施形態では、制御部２０は、記憶部２２が無地域値の地域情報を記憶した状態又は地域情報を記憶してない状態であり、かつ、無線ＬＡＮアダプターＡＤが、無地域値の地域情報を記憶した状態又は地域情報を記憶してない状態の場合、チャンネルの設定について、各地域で共通して使用可能な複数のチャンネルの範囲内で、１つのチャンネルの設定を可能とする。
この構成によれば、印刷装置１０が設けられた地域で確実に使用可能なチャンネルを、ユーザーが選択できる状態とすることができる。
【００６３】
また、本実施形態では、制御部２０は、無線ＬＡＮアダプターＡＤがＵＳＢ通信インターフェース２５に装着されておらず、記憶部２２が記憶する地域情報が特定地域値の場合、地域情報が示す地域で使用可能な複数のチャンネルの範囲内で、１つのチャンネルの設定を可能とする。また、制御部２０は、無線ＬＡＮアダプターＡＤがＵＳＢ通信インターフェース２５に装着されておらず、記憶部２２が記憶する地域情報が無地域値であるか、記憶部２２に地域情報が記憶されてない場合、各地域で共通して使用可能な複数のチャンネルの範囲内で、１つのチャンネルの設定を可能とする。
この構成によれば、印刷装置１０に無線ＬＡＮアダプターＡＤが接続されてない状態の場合、印刷装置１０が記憶する地域情報により印刷装置１０が設けられた地域が判定可能な場合は、印刷装置１０が設けられた地域で使用可能なチャンネルを、ユーザーが選択できる状態とすることができる。また、印刷装置１０が設けられた地域が不明の場合は、印刷装置１０が設けられた地域で確実に使用可能なチャンネルを、ユーザーが選択できる状態とすることができる。
【００６４】
また、本実施形態に係る印刷装置１０は、情報を表示可能な印刷装置タッチパネル２４（表示部）を備える。制御部２０は、チャンネルの設定について、使用可能な複数のチャンネルが選択可能に表示された無線通信設定画面Ｇ４１（ユーザーインターフェース）を印刷装置タッチパネル２４に表示させ、無線通信設定画面Ｇ４１に表示されたチャンネルのうち、いずれかのチャンネルが選択された場合、選択されたチャンネルを、無線通信に使用するチャンネルとして設定する。
この構成によれば、ユーザーは、無線通信設定画面Ｇ４１に表示されたチャンネルを選択するという簡易な手段により、所定の法に従った適切なチャンネルを容易に選択できる。
【００６５】
なお、上述した実施の形態は、あくまでも本発明の一態様を示すものであり、本発明の範囲内で任意に変形および応用が可能である。
例えば、上述した実施形態では、無線ＬＡＮアダプターＡＤは、ＵＳＢデバイスであり、ＵＳＢの仕様に従って印刷装置１０と通信した。しかしながら、無線ＬＡＮアダプターＡＤと、印刷装置１０との間での通信で使用する通信プロトコルはＵＳＢに限らず何でもよい。
また例えば、上述した実施形態では、印刷装置１０自体が、表示部としての印刷装置タッチパネル２４を備え、印刷装置タッチパネル２４に無線通信設定画面Ｇ４１（ユーザーインターフェース）を表示する構成とした。しかしながら、印刷装置１０が表示装置を備える外部装置に接続され、制御部２０が、外部装置と通信して、外部装置の表示部に無線通信設定画面Ｇ４１を表示させる構成でもよい。
【００６６】
また例えば、上述した印刷装置１０の制御方法（印刷装置の制御方法）が、印刷装置１０が備えるコンピューター、又は、印刷装置１０に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、印刷装置１０や、印刷装置１０に接続された外部装置が備える内部記憶装置であるＲＡＭ（Random Access Memory）、ＲＯＭ（Read Only Memory）、ＨＤＤ等の不揮発性記憶装置でもよい。
また、図を用いて説明した各機能ブロックはハードウェアとソフトウェアにより任意に実現可能であり、特定のハードウェア構成を示唆するものではない。
【符号の説明】
【００６７】
１…印刷システム、１０…印刷装置、１１…タブレット端末、２０…制御部、２１…印刷部、２２…記憶部、２３…通信制御部、２４…印刷装置タッチパネル（表示部）、２５…ＵＳＢ通信インターフェース（挿着部）、３０…アダプター制御部、３１…アダプター記憶部、３２…アダプター通信インターフェース、３３…アダプター無線通信部、４０…端末制御部、４１…端末無線通信部、４２…端末タッチパネル、４３…端末記憶部、２２１…印刷装置通信設定ファイル、３１１…アダプター通信設定ファイル、ＡＤ…無線通信アダプター。
【図１】
2017144605.tif 000003
【図２】
2017144605.tif 000004
【図３】
2017144605.tif 000005
【図４】
2017144605.tif 000006
【図５】
2017144605.tif 000007